(57)【要約】  ディジタル・プリンタにより、すぐに消費することができる形式に印刷ジョブ・ページ（２０）を生成する工程を含む、パーフェクト・バインディングのやり方でディジタル・プリンタによって印刷し、仕上げるように、印刷ジョブ・ページを構成する方法。ボリューム印刷用のページの第１の部分（１５）、及びカバー印刷用のページの第２の部分（１７）がマーキングされる。第１の部分は、パーフェクト・バインディング組み付け手法（２１）に従う第１の一連のページを形成するようマーキングされる。第２の部分は、第２の組み付け手法（３３）に従う第２の一連のページを形成するよう生成される。仕上げ器機器を備えたディジタル・プリンタへの第１の一連のページ、及び第２の一連のページは、ディジタル・プリンタに供給される。
2011513878.tif 000002
【特許請求の範囲】
【請求項１】
ディジタル・プリンタによってすぐに印刷することができ、パーフェクト・バインディングのやり方で仕上げられるよう印刷ジョブ・ページを構成する方法であって、
前記ディジタル・プリンタによってすぐに印刷できる形式で前記印刷ジョブ・ページを作成する工程と、
ボリューム印刷用の前記ページの第１の部分及びカバー印刷用の前記ページの第２の部分をマーキングする工程と、
ボリューム印刷用のパーフェクト・バインディング組み付け手法に従って第１の一連のページを形成するよう前記第１の部分を作成する工程と、
カバー印刷用の第２の組み付け手法に従って第２の一連のページを形成するよう前記第２の部分を作成する工程と、
仕上げ器機器を装備した前記ディジタル・プリンタに前記第１の一連のページを供給する工程と、
前記第２の一連のページを前記ディジタル・プリンタに供給する工程と
を含む方法。
【請求項２】
請求項１記載の方法であって、
特殊フォールド・インサート・ページ用の前記ページの少なくとも別の一部分をマーキングする工程と、
別の組み付け手法を形成するよう前記少なくとも別の一部分を作成する工程と、
前記ディジタル・プリンタに前記第１の一連のページと前記第２の一連のページとの間の前記別の一連のページを供給する工程とを含む方法。
【請求項３】
請求項１記載の方法であって、前記第１の一連のページは、仕上げ器の要件、ページの向き、及び接着位置に応じて作成される方法。
【請求項４】
請求項１記載の方法であって、前記第２の一連のページは、仕上げ器の要件、ページの向き、及び接着位置に応じて作成される方法。
【請求項５】
請求項２記載の方法であって、前記別の一連のページは、仕上げ器の要件、ページの向き、及び接着位置に応じて作成される方法。
【請求項６】
請求項１記載の方法であって、前記第１の一連のページ及び前記第２の一連のページはそれぞれ、前記ディジタル・プリンタの別々のページ・トレイから取ってくる媒体上に印刷される方法。
【請求項７】
請求項２記載の方法であって、前記別の一連のページは、前記第１の一連のページ又は前記第２の一連のページと別の、前記ディジタル・プリンタのページ・トレイから取ってくる媒体上に印刷される方法。
【請求項８】
請求項１記載の方法であって、前記第１の一連のページ及び前記第２の一連のページは、前記ディジタル・プリンタの別々のページ・トレイから取ってくる方法。
【請求項９】
請求項１記載の方法であって、前記第２の組み付け手法は、パーフェクト・バインディング組み付けである方法。
【請求項１０】
請求項２記載の方法であって、前記別の組み付け手法は、パーフェクト・バインディング組み付けである方法。
【請求項１１】
請求項１記載の方法であって、前記印刷ジョブ・ページは、個人化された小冊子印刷用に作成される方法。
【請求項１２】
請求項１記載の方法であって、前記印刷ジョブ・ページは、左バインディング組み付け用に作成される方法。
【請求項１３】
請求項１記載の方法であって、前記印刷ジョブ・ページは、右バインディング組み付け用に作成される方法。
【発明の詳細な説明】
【技術分野】
【０００１】
本発明は、高度な印刷及び印刷仕上げ機能により、構成された印刷ジョブを構成する方法に関し、特に、効率的なパーフェクト・バインディングを実現する方法に関する。
【背景技術】
【０００２】
印刷ジョブは、印刷機器の要件をサポートするために、デスクトップ・パブリッシング（ＤＴＰ）において現在、生成されている。すなわち、ＤＴＰにおいて生成されたファイルは、通常、ページ記述形式（ＰＤＦ）において、ディジタル・フロント・エンド（ＤＦＥ）に供給される。供給されるＰＤＦは既に、プリンタのメディア処理及び配向の要因などの局面を事前に考慮して、宛先印刷機器上で正しく印刷するよう企図されている。
【０００３】
（供給されるＰＤＦによって表される）生成印刷ジョブが、土壇場の決定によって切り替えられる場合（例えば、元の宛先機器とは別の印刷機器上での印刷の場合）には、ジョブは、別の印刷機器に準拠するようＤＴＰにおいて再実行しなければならない。
【発明の概要】
【発明が解決しようとする課題】
【０００４】
小冊子は多くの場合、通常、マイクロソフト・ワードなどの著名なＤＴＰアプリケーションを使用して、ライト・ユーザによって作成される。ライト・ユーザは多くの場合、要求された小冊子印刷に使用されるための印刷機器の特性を知らない。よって、印刷機器の構成をジョブ生成者が知っていることを必要とせずに、印刷する対象の文書のディジタル表現から、印刷機器の特性を切り離すことは、効果的である。
【課題を解決するための手段】
【０００５】
簡潔に言えば、本発明の一局面によれば、ディジタル・プリンタによって印刷し、パーフェクト・バインディングのやり方で仕上げられるよう印刷ジョブ・ページを構成する方法は、ディジタル・プリンタによってすぐ消費できる形式で印刷ジョブ・ページを作成する工程と、ボリューム印刷用のページの第１の部分及びカバー印刷用のページの第２の部分をマーキングする工程と、パーフェクト・バインディング組み付け手法に従って第１の一連のページを形成するよう第１の部分を作成する工程と、第２の組み付け手法に従って第２の一連のページを形成するよう第２の部分を作成する工程と、仕上げ器機器を装備したディジタル・プリンタに第１の一連のページを供給する工程と、第２の一連のページをディジタル・プリンタに供給する工程とを含む。
【図面の簡単な説明】
【０００６】
【図１】仕上げ器の構成されたレイアウトを示す概略図である。
【図２】予め印刷されたカバー及び左バインディング組み付けを備えた長辺とじ印刷を示す概略図である。
【図３】コンテンツの背及び左バインディング組み付けを有する構成された両面カバーを備えた長辺とじ印刷を示す概略図である。
【図４】予め構成されたカバー及び左バインディング組み付けを有する長辺とじ印刷を示す概略図である。
【図５】ブランクのコンテンツの背及び右バインディング組み付けを有する構成された両面カバーを備えた長辺とじ印刷を示す概略図である。
【図６】Ｚ折りインサート及び左バインディング組み付けを含む予め構成された両面カバーを備えた長辺とじ印刷を示す概略図である。
【図７】個人化された小冊子印刷のための左バインディング組み付けを有する構成された両面カバーを備えた長辺とじ印刷を示す概略図である。
【図８】１８０度の回転及び左バインディング組み付けと、コンテンツの背とを有する構成された両面カバーを備えた長辺とじ印刷を示す概略図である。
【図９】コンテンツの背、左バインディング組み付け、及びカバー・シート残部を有する構成された両面カバーを備えた長辺とじ印刷を示す概略図である。
【図１０】１８０度の回転を含むコンテンツの背、左バインディング組み付け、及びカバー・シート残部を有する構成された両面カバーを備えた長辺とじ印刷を示す概略図である。
【図１１】Ｘ軸に沿った１８０度の回転を含むコンテンツの背及び左バインディング組み付けを有する構成された両面カバーを備えた長辺とじ印刷を示す概略図である。
【図１２】１Ｘ１及び３Ｘ１手法を示す概略図である。
【発明を実施するための形態】
【０００７】
本発明は、仕上げ装置に結合されたディジタル・プリンタに、構成された印刷ジョブの、ボリューム（書物）・ページ及びカバー（表紙）・ページなどの構成部分を供給するよう構成するための方法及び装置を提供する。構成部分は、完全な、パーフェクト・バイディングされた本、又はパーフェクト・バインディングされた小冊子などを作成するための最適なページ順序及び配向で供給される。正しい配向は、仕上げ装置特性に従うようページを回転させることによって達成される。
【０００８】
回転は、最先端部、裏部(バック)、及び表部（フロント）の回転のニーズに従うよう宛先プリンタによって必要とされる、印刷の回転に依存する。宛先プリンタのラスタ・データの配向及び構成部分の順序のニーズに応じて、ラスタ・データを生成し、９０度、回転させる。
【０００９】
本発明の前述並びに他の目的、構成及び効果は、本発明の例証的な実施例を示し、記載する図面とともに以下の詳細な説明を読むと、当業者に明らかになるであろう。
【実施例】
【００１０】
図１は、仕上げ機器の機能に従うための、構成されたページの供給の順序を示す。カバーは、
ａ）内側（１０）及び外側（１１）のフロント・カバー・コンテンツ（表表紙の内容物）、
ｂ）内側（１２）及び外側（１３）のバック・カバー・コンテンツ（裏表紙の内容物）、及び
ｃ）背コンテンツ（背の内容物）（１４）
の構成部分を含む。
【００１１】
上記構成部分ａ）、ｂ）及びｃ）のコンテンツ（内容物）は、多くの場合、ボリューム（書物）・ページ１５とは別の材質を含む特殊なカバー（表紙）・ページ１７上に貼り付けられる。カバー・ページ１７及びボリューム・ページ１５は、印刷装置の別々のページ・トレイから取ってくる。
【００１２】
ボリューム・ページ１５は、ボリューム・ページ１５の正しい面において接着方向１６を施すために、正しい向きにおいて仕上げ器に供給され、よって、接着方向１６に一致する背１４上に貼り付けされる。ページ・カバー１７は、接着方向１６に従ってボリューム・ページ１５を消費するよう正しい方向において仕上げ器に供給される。
【００１３】
図２は、左バインディングのやり方で、予め印刷されたカバー２２を使用した長辺とじ印刷手法を表す。左バインディングは、（左から右に書かれる）ラテン言語に使用される一方、右バインディング手法は、ヘブライ語やアラビア語（右から左に書かれる）言語、及び、多くの場合、右から左に視る一部の極東の言語に適している。
【００１４】
ページは、ページのアプリケーション順序２０で、元のアプリケーションによって作成される。ページは、以下の出力シーケンス２５で、正しい向き（各ページの上部は矢印２４で示す）で仕上げ器に渡される。ボリューム・ページ１５は、両面パーフェクト・バインディング組み付けとして組み付けられる。ボリューム・ページ１５は、接着方向１６及びユーザ選択されたバインディング（左バインディングが図１において使用される）に応じて回転させられ、シンプレックス形式の、予め印刷されたカバー２２が続く。前述の例は、５ボリューム・ページの、両面（シート毎２頁ということを意味する）での印刷を表す。一頁は、フロント・シートのために使用され、２頁目は、バック・シートのために使用される。この例では、３つのシートが、５ボリューム・ページに使用され、よって、シート３の裏側のページ２３はブランクの状態にされる。
【００１５】
図３は、長辺とじ印刷を表す。上記印刷は、左バインディングを使用した構成されたカバーを含む。カバーは、背のコンテンツ３０を有する両面カバーに印刷される。前述の例は、同じ印刷ジョブに使用される別々の２つの組み付け手法を示し、１つは、パーフェクト・バインディング組み付け２１のために作成されるボリューム・ページ１５のためのものである。更に、カバー・コンテンツに施されるサドル・スティッチ組み付け３３の手法がある。
【００１６】
第１の手法２１では、ボリューム・ページ１５は、完全バウンド１Ｘ１組み付け（１枚の紙シート上に組み付けられる一コンテンツ・ページ）で組み付けられる。図１２は、コンテンツ１２０のペーパ・シート側で行われる１Ｘ１組み付けを更に表す。単一のページ・コンテンツ１２１が、シート側１２０に配置され、センタリングされる。ボリューム・ページ１５も、接着方向１６に応じて回転し、ユーザ選択されたバインディングが施され、この場合、左バインディングであり、通常、左から右に読まれる言語に使用される。カバー・シート３３は、背のコンテンツ３０、フロント・カバー・ページ３１（フロント内側１０及びフロント外側１１）、並びに、バック・カバー・ページ３２（バック内側１２及びバック外側１３）という３つの構成部分を含むサドル・スティッチ３Ｘ１組み付け（３つのコンテンツ・ページが１枚の紙シート上に組み付けられる）。
【００１７】
図１２は、３Ｘ１の組み付けを更に表す。２つのカバー・ページ（フロント３１乃至バック３２）、及び背のコンテンツ３０という３つの構成部分が、シート側部１２２上に配置され、センタリングされたコンテンツ１２２の３Ｘ１組み付けのシート側部を仮定すれば、カバー・シート３３及びボリューム・ページ１５も、接着場所、及びユーザ選択バインディング（この場合、左バインディング）に応じて回転させる。ページ全て、構成されたカバー・ページ及びボリューム・ページ１５は、宛先出力・シートに応じてセンタリングされる。図８は、図３に表すものと同様な実施例を表す。
【００１８】
この実施例は、ラスタ・データの（回転ガイド８１で示す）Ｙ軸に対する１８０度の媒体の表・裏回転を備えたプリンタをサポートする。構成されたフロント・カバー３４は、構成されたバック・カバー３５のページの印刷前に、フロント・カバーの回転ガイド８１に沿って回転させる。１８０度回転させた構成されたフロント・カバー３４は、（回転を行った後、）構成されたバック・カバー３５上に示すように回転ガイド位置８２によって示す。ページ（すなわち、構成されたカバー・ページ（３４、３５）、及びボリューム・ページ１５）は全て、宛先出力シートに応じてセンタリングされる。
【００１９】
図１１は、別の実施例を表す。この実施例は、コダック社Ｎｅｘｐｒｅｓｓディジタル・プリンタなどの、シートの裏面上に印刷するために（回転ガイド１１１で示す）Ｘ軸に沿って１８０度、印刷シートを回転させるディジタル・プリンタをサポートする。符号１１２は、Ｘ軸に沿った回転後のシートの位置を示す。この場合、ペーパ・シートの裏面上に印刷されたページ・コンテンツは、（１８０度だけ回転させた）最上部のページ方向１１３で示すように、紙シートの表面の印刷コンテンツの方向に従うよう印刷する前に１８０度だけ、回転させる。
【００２０】
図９は、図３に表すものと同様な実施例を表す。この実施例では、ボリューム・ページは、出力シートに応じてセンタリングされる一方、構成されたフロント・カバー及びバック・カバー（３４及び３５）は、印刷機器におけるページ・トリマの反対側の軸に対するアラインメントを含む。
【００２１】
カバー・シート３３は、レディ・ツー・プリントの（すぐに印刷できる）単一のカバー・シート３３を形成するために、背のコンテンツ３０、フロント・カバー・ページ３１、及びバック・カバー・ページ３２を含む３つの構成部分を含むサドル・スティッチ３ｘ１組み付けとして組み付けられる。この実施例では、カバー・シート３３は、カバー・シート３３上に印刷される上記構成部分（３０、３１、３２）よりも大きく、よって、印刷機器トリマによって更にトリム(縁どり)されるよう、フロント・カバー・シート及びバック・カバー・シート残部（９１、９２）の未使用部分を残す。
【００２２】
図１０は、図９に関する説明と同様な実施例を表す。この実施例は、ラスタ・デ―タのＹ軸に対する１８０度の媒体の表・裏回転を備えたプリンタをサポートする。
【００２３】
図４は、左バインディングを使用した、予め構成されたカバーを備えた長辺とじ印刷を表す。ボリューム・ページ１５は、接着位置及びユーザ選択バインディングに応じて回転させられ、パーフェクト・バインディング１Ｘ１組み付けとして組み付けられる。両面カバー４２は、「ステップ及び続行」１Ｘ１組み付けのやり方で組み付けられる。背のコンテンツ４０及び内側カバー４１のカバーを備えた予め構成された外側カバー・ページも、接着方向１６及びユーザ選択バインディングのニーズに応じて回転させる。
【００２４】
図５は、ヘブライ語、アラビア語、及び極東の言語に適した右バインディングを使用した、背がブランクの両面カバーを備えた長辺とじ印刷を表す。ボリューム・ページ１５は、パーフェクト・バインディングド１Ｘ１組み付けとして組み付けられる。ボリューム・ページは、接着方向１６及び右バインディングに応じて回転させる。カバーは、コンテンツの背１４を含むサドル・スティッチ３Ｘ１組み付けとして組み付けられる。カバー・シート及びページも、接着方向１６に応じて回転させ、更に、右のバインディング組み付けについて行われる。
【００２５】
図６は、ボリューム・ページ１５間に挿入されるｚ折エレメントを含む両面カバーを備えた長辺とじ印刷を表す。この手法は、ブランクの背も含み、左バインディング組み付けを使用する。ｚ折エレメント６０は、この例では、入力シーケンス２０におけるページ４であり、ボリューム・ページ１５は、パーフェクト・バインディング１Ｘ１組み付けとして組み付けられる。ボリューム・ページも接着方向１６に応じて回転させる。カバーは、コンテンツの背１４を含む、サドル・スティッチ３Ｘ１組み付けとして組み付けられる。カバー・シート及びページも、左バインディング組み付けを使用して接着方向１６に応じて回転させる。ページ全て（構成されたカバー・ページ１７、ｚ折６１、及びボリューム・ページ１５）は、出力シートに応じてセンタリングされる。  
図７は、個人化された小冊子の印刷を示す。元のページ・シーケンス２０は、個人化されたブックレットの一連のコンテンツを含む。この例は、それぞれが４つのページ及び背１４を含む複数の小冊子７０、７４及び７１の印刷を示す。一部のページ、及び、場合によっては、背は、小冊子によって異なり得、例えば、小冊子７０は、背のコンテンツ、及びページ３において小冊子７１と異なる。出力形式においてディジタル印刷及び仕上げ装置に従うよう構成されたページを供給して、複数の小冊子７２、７５及び７３を生成する。
構成部分リスト
１０  フロント・カバー（内側）
１１  フロント・カバー（外側）
１２  バック・カバー（内側）
１３  バック・カバー（外側）
１４  背
１５  ボリューム・ページ
１６  接着方向
１７  カバー・ページ
２０  元のページ・シーケンス（アプリケーション毎）
２１  パーフェクト・バインディングのために順番に並べられたデュプレックス・ページ
２２  シンプレックスの予め印刷されたカバー
２３  ブランク・ページ
２４  ページ上部方向
２５  出力シーケンス
３０  背のコンテンツ（アプリケーション順）
３１  フロント・カバー・ページ（アプリケーション順）
３２  バック・カバー・ページ（アプリケーション順）
３３  カバー・シート・サドル・スティッチ組み付け
３４  構成されたフロント・カバー
３５  構成されたバック・カバー
４０  予め構成された外側カバー・ページ（背のコンテンツ付）
４１  予め構成された内側カバー・ページ（背のコンテンツ付）
４２  仕上げ器のために順番に並べられた両面カバー
６０  入力シーケンスにおけるｚ折
６１  出力シーケンスにおけるｚ折デュプレックス
７０  入力小冊子−１
７１  入力小冊子−ｎ
７２  出力小冊子−１
７３  出力小冊子−ｎ
７４  入力小冊子−２．．小冊子（ｎ−１）
７５  出力小冊子−２．．小冊子（ｎ−１）
８１  フロント・カバー回転ガイド（Ｙ軸）
８２  フロント・カバー回転後の回転ガイド位置（Ｙ軸）
９１  フロント・カバー・シート残部
９２  バック・カバー・シート残部
１１１  フロント・カバー回転ガイド（Ｘ軸）
１１２  フロント・カバー回転後の回転ガイド位置（Ｘ軸）
１１３  上部ページ方向（１８０度だけ回転させる）
１２０  コンテンツの１Ｘ１組み付けのシート側部
１２１  １Ｘ１組み付けの単一ページ・コンテンツ
１２２  コンテンツの３Ｘ１組み付けのシート側部
【図１】
2011513878.tif 000003
【図２】
2011513878.tif 000004
【図３】
2011513878.tif 000005
【図４】
2011513878.tif 000006
【図５】
2011513878.tif 000007
【図６】
2011513878.tif 000008
【図７】
2011513878.tif 000009
【図８】
2011513878.tif 000010
【図９】
2011513878.tif 000011
【図１０】
2011513878.tif 000012
【図１１】
2011513878.tif 000013
【図１２】
2011513878.tif 000014
【国際調査報告】
2011513878.tif 000015
2011513878.tif 000016
2011513878.tif 000017